(57)【要約】      （修正有）【課題】自動搬送式納骨堂により共用墓石を利用して円滑なお参りを可能としつつ、焼香する際、省エネルギー化を達成するとともに、十分な防火対策を施した自動搬送式納骨堂を提供する。【解決手段】焼香用ヒーター２６は、複数の遺骨収納厨子のうち共用墓石に一番近い位置の遺骨収納厨子が共用墓石に自動搬送されて、共用墓石に組み込まれるまでに抹香が焼香可能となるような加熱能力を有し、焼香用ヒーター制御手段８８は、参拝者の参拝受付信号により、焼香用ヒーターのスイッチをオンとすることにより、抹香が焼香可能状態となるまで加熱し、参拝者の参拝終了信号を受信するまでは、上限温度に達したら、焼香用ヒーター２６のスイッチをオフとする一方、下限温度に達したら、焼香用ヒーター２６のスイッチをオンとし、参拝者の参拝終了信号により、焼香用ヒーター２６のスイッチをオフとする、ことを特徴とする自動搬送式納骨堂。【選択図】図５
2017082480.tif 000002
【特許請求の範囲】
【請求項１】
堂内に設置され正面に窓部を設けた共用墓石と、それぞれ、墓碑銘板が刻印された墓碑銘板を取付けた複数の遺骨収納厨子とを有し、参拝者による前記複数の遺骨収納厨子の１つの選択によって堂内で自動搬送され、前記共用墓石に組み込まれ、刻印された前記墓碑銘板が前記窓部に露出するようにした自動搬送式納骨堂において、
前記窓部の前方に焼香器が設けられ、該焼香器は、抹香を加熱する焼香用ヒーターと、該焼香用ヒーターによる抹香の加熱温度測定手段と、焼香用ヒーター制御手段とを有し、
前記焼香用ヒーターは、前記複数の遺骨収納厨子のうち前記共用墓石に一番近い位置の遺骨収納厨子が前記共用墓石に自動搬送されて、前記共用墓石に組み込まれるまでに抹香が焼香可能となるような加熱能力を有し、
前記焼香用ヒーター制御手段は、参拝者の参拝受付信号により、前記焼香用ヒーターのスイッチをオンとすることにより、抹香が焼香可能状態となるまで加熱し、参拝者の参拝終了信号を受信するまでは、上限温度に達したら、前記焼香用ヒーターのスイッチをオフとする一方、下限温度に達したら、前記焼香用ヒーターのスイッチをオンとし、参拝者の参拝終了信号により、前記焼香用ヒーターのスイッチをオフとする、ことを特徴とする自動搬送式納骨堂。
【請求項２】
前記上限温度および/または前記下限温度は、設定可能であり、前記上限温度と前記下限温度との温度差は、最大５０度である、請求項１に記載の自動搬送式納骨堂。
【請求項３】
堂内に設置され正面に窓部を設けた共用墓石と、それぞれ、墓碑銘板が刻印された墓碑銘板を取付けた複数の遺骨収納厨子とを有し、参拝者による前記複数の遺骨収納厨子の１つの選択によって堂内で自動搬送され、前記共用墓石に組み込まれ、刻印された前記墓碑銘板が前記窓部に露出するようにした自動搬送式納骨堂において、
前記窓部の前方に焼香器が設けられ、該焼香器は、焼香用ヒーターと、該焼香用ヒーターによる抹香の加熱温度測定手段と、焼香用ヒーター制御手段とを有し、
前記ヒーター制御手段は、参拝者の参拝受付信号により、前記ヒーターのスイッチをオンとし、所定時間内に抹香が焼香可能状態に達するように、前記加熱温度測定手段により測定する抹香の加熱温度に基づいて、前記ヒーターによる加熱速度を制御する一方、参拝者の参拝終了信号により、前記ヒーターのスイッチをオフとする、ことを特徴とする自動搬送式納骨堂。
【請求項４】
前記ヒーター制御手段は、抹香の種類、堂内の気温および/または湿度条件に応じて、抹香の目標加熱温度を所望温度に設定可能な目標加熱温度設定手段を有する、請求項３に記載の自動搬送式納骨堂。
【請求項５】
前記焼香器は、載置された抹香を焚く加熱面を前記焼香器内において上に向けて配置された、中実状金属製の加熱プレートを有し、該加熱プレートは前記加熱面の下方に、前記ヒーターを嵌合挿入するためのヒーター挿入穴と、前記加熱温度測定手段である熱電対を挿入するための熱電対挿入穴とを有し、それにより、前記ヒーターの熱が熱伝導により前記加熱面に伝達される、請求項３に記載の自動搬送式納骨堂。
【請求項６】
前記ヒーター挿入穴および前記熱電対挿入穴は、前記加熱面の延び方向に沿って、互いに平行に配置される、請求項５に記載の自動搬送式納骨堂。
【請求項７】
前記熱電対挿入穴は、前記ヒーター挿入穴と前記加熱面との間のレベルに挿入される、請求項６に記載の自動搬送式納骨堂。
【請求項８】
前記ヒーター制御手段は、参拝者の参拝受付信号により、選択した前記遺骨収納厨子の自動搬送の開始と、前記ヒーターのスイッチのオンとが連動するようにしている、請求項１または３に記載の自動搬送式納骨堂。
【請求項９】
前記所定時間は、選択した前記遺骨収納厨子の自動搬送開始後、前記共用墓石に組み込まれ、刻印された前記墓碑銘板が前記窓部に露出するまでの時間である、請求項８に記載の自動搬送式納骨堂。
【請求項１０】
前記ヒーター制御手段は、参拝者の受付信号により、参拝者による前記複数の遺骨収納厨子の１つの選択が完了した時点での前記加熱面の初期温度と、前記加熱面の目標加熱温度との温度差に基づいて、前記ヒーターによる加熱速度を制御する、請求項９に記載の自動搬送式納骨堂。
【請求項１１】
前記ヒーター制御手段は、前記ヒーターのオンオフと連動したタイマーをさらに有し、前記加熱面が目標加熱温度に達したら、前記ヒーターをオフするとともに前記タイマーをオンとし、前記タイマーにより設定した所定時間経過ごとに、前記ヒーターのオンオフを繰り返すことにより、前記加熱面の温度を焼香可能な温度範囲に維持する、請求項３に記載の自動搬送式納骨堂。
【請求項１２】
前記ヒーター制御手段は、前記上限温度および/または前記下限温度が設定可能なようにバイメタル構造を利用する、請求項２に記載の自動搬送式納骨堂。
【請求項１３】
請求項１ないし請求項１２のいずれか１項に記載の前記自動搬送式納骨堂において焼香するたびに、前記加熱面全体が露出しないようにしつつ、前記加熱面の過熱により前記焼香用ヒーターの損傷を防止可能な程度に前記加熱面からの放熱が可能なように、前記加熱面により焚かれることにより生じる抹香灰を前記加熱面上に積む焼香方法。
【発明の詳細な説明】
【技術分野】
【０００１】
本発明は、自動搬送式納骨堂に関し、より詳細には、自動搬送式納骨堂により共用墓石を利用して円滑なお参りを可能としつつ、焼香する際、省エネルギー化を達成するとともに、十分な防火対策を施した自動搬送式納骨堂に関する。
【背景技術】
【０００２】
少子高齢化の進行する我が国において、出生数が減少し続けるのに対し、死亡者数は急増することが予想されている。その結果、死亡者数の急増に伴う墓に対する需要の増加が見込まれる一方、墓の継承者の不在という問題が深刻化している。
その解決策の一つとして、狭い敷地の中に多数の遺骨を収納可能な屋内型納骨堂が提案されており、その需要が特に都市部において増加している。屋内型納骨堂は、一つの建物内に複数の遺骨を安置することが可能であり、効率よく管理し得ることから今後も大きな需要が見込まれている。
【０００３】
屋内型納骨堂の一つである、自動搬送式納骨堂は、たとえば、特許文献１に開示されているように、複数の遺骨を厨子に収納し、共同で使用する共用墓石へ厨子を自動搬送するしくみを採用し、参拝するためにはカードを読み取らせて、厨子を選択し共用墓石まで自動搬送させ、厨子が共用墓石に装着した段階で参拝室の扉が開き、参拝の準備が整うようにしている。
【０００４】
しかしながら、従来、自動搬送式納骨堂において、参拝者のお焼香用に電熱式焼香器が採用されるのが通常であり、それに伴い、参拝の準備完了後、以下のような問題点があった。
第1に、電熱式焼香器の温度が、厨子が共用墓石まで搬送されるまでに抹香を焚くに十分な温度まで達せず、参拝者が時間待ちを余儀なくされる点である。特に、参拝者の多いお彼岸等には、円滑なお参りに支障が生じ、墓石を共用化する自動搬送式納骨堂のメリットが損なわれる。
第2に、参拝者による利用に係わらず、電熱式焼香器を常時通電して、抹香を焚く温度まで加熱しておくと、直ぐにお参りは可能であるが、常時通電により省エネの観点から逆行する一方、発火温度のまま放置されている点で、たとえば、共用墓石近傍に設置した生け花の寿命を短くする。
【０００５】
このような問題点を解決すべく、従来、電熱式焼香器によっては、短時間（1分程度）に焼香できる温度に到達するものがあるが、温度表示がなく、厳密に温度管理しているものは皆無であり、発火温度の高温であるにも係わらず、防火上の観点から温度管理されてはいなかった。一方において、抹香が焼香可能な温度を維持するためには、たとえば、抹香の種類に応じて、上限温度と下限温度とがあり、抹香が下限温度と上限温度との間に保持されている限り、抹香の温度をそれ以上に厳密に制御するのは、かえって過剰制御となり、コスト増となる。
【０００６】
そこで、本発明は従来の焼香器にはない、表面温度の計測とその温度表示を可能とし、設定温度を任意に設定可能とすることにより、気温条件あるいは抹香の種類等に応じた適切な温度にて制御できるとともに、短時間で必要温度に到達できる加熱能力を具備する焼香器を提供することにより、生花の寿命、防災上の観点および省エネの上記問題点を一挙解決し、最適な自動搬送式納骨堂を提供すべく考え出されたものである。
【特許文献１】特開2010-138596号公報
【発明の開示】
【発明が解決しようとする課題】
【０００７】
本願発明の目的は、自動搬送式納骨堂により共用墓石を利用して円滑なお参りを可能としつつ、焼香する際、省エネルギー化を達成するとともに、十分な防火対策を施した自動搬送式納骨堂を提供することにある。
本願発明の目的は、抹香の種類、堂内の温度湿度条件、参拝状況に係わらず、自動搬送式納骨堂により共用墓石を利用して円滑なお参りを可能としつつ、焼香する際、省エネルギー化を達成するとともに、十分な防火対策を施した自動搬送式納骨堂を提供することにある。
【課題を解決するための手段】
【０００８】
上記課題を達成するために、本発明の自動搬送式納骨堂は、
堂内に設置され正面に窓部を設けた共用墓石と、それぞれ、墓碑銘板が刻印された墓碑銘板を取付けた複数の遺骨収納厨子とを有し、参拝者による前記複数の遺骨収納厨子の１つの選択によって堂内で自動搬送され、前記共用墓石に組み込まれ、刻印された前記墓碑銘板が前記窓部に露出するようにした自動搬送式納骨堂において、
前記窓部の前方に焼香器が設けられ、該焼香器は、抹香を加熱する焼香用ヒーターと、該焼香用ヒーターによる抹香の加熱温度測定手段と、焼香用ヒーター制御手段とを有し、
前記焼香用ヒーターは、前記複数の遺骨収納厨子のうち前記共用墓石に一番近い位置の遺骨収納厨子が前記共用墓石に自動搬送されて、前記共用墓石に組み込まれるまでに抹香が焼香可能となるような加熱能力を有し、
前記焼香用ヒーター制御手段は、参拝者の参拝受付信号により、前記焼香用ヒーターのスイッチをオンとすることにより、抹香が焼香可能状態となるまで加熱し、参拝者の参拝終了信号を受信するまでは、上限温度に達したら、前記焼香用ヒーターのスイッチをオフとする一方、下限温度に達したら、前記焼香用ヒーターのスイッチをオンとし、参拝者の参拝終了信号により、前記焼香用ヒーターのスイッチをオフとする、構成としている。
【０００９】
以上の構成を有する自動搬送式納骨堂によれば、参拝者により複数の遺骨収納厨子から１つが選択され、堂内で自動搬送され、共用墓石に組み込まれ、刻印された墓碑銘板が窓部に露出するようにセットされ、参拝者が窓部の前方に設けられた焼香器でお焼香する準備が整えられる。
その際、焼香器には、焼香用ヒーターと、焼香用ヒーターによる抹香の加熱温度測定手段と、焼香用ヒーター制御手段とが設けられ、焼香用ヒーターは、複数の遺骨収納厨子のうち共用墓石に一番近い位置の遺骨収納厨子が共用墓石に自動搬送されて、共用墓石に組み込まれるまでに抹香が焼香可能となるような加熱能力を有し、焼香用ヒーター制御手段は、参拝者の参拝受付信号により、焼香用ヒーターのスイッチをオンとすることにより、抹香が焼香可能状態となるまで加熱し、参拝者の参拝終了信号を受信するまでは、上限温度に達したら、焼香用ヒーターのスイッチをオフとする一方、下限温度に達したら、焼香用ヒーターのスイッチをオンとし、参拝者の参拝終了信号により、前記ヒーターのスイッチをオフとすることにより、墓碑銘板が窓部に露出するようにセットされる時点で、抹香が焼香可能状態に達するようにすることで、自動搬送式納骨堂により共用墓石を利用して円滑なお参りを可能としつつ、抹香の余分な加熱を防ぐことにより省エネルギー化を達成する一方、参拝者の参拝終了信号により、ヒーターのスイッチをオフとすることにより、省エネルギー化を達成するとともに十分な防火対策を施すことが可能である。
【００１０】
また、前記上限温度および/または前記下限温度は、設定可能であり、前記上限温度と前記下限温度との温度差は、最大５０度であるのがよい。
【００１１】
上記課題を達成するために、本発明の自動搬送式納骨堂は、
堂内に設置され正面に窓部を設けた共用墓石と、それぞれ、墓碑銘板が刻印された墓碑銘板を取付けた複数の遺骨収納厨子とを有し、参拝者による前記複数の遺骨収納厨子の１つの選択によって堂内で自動搬送され、前記共用墓石に組み込まれ、刻印された前記墓碑銘板が前記窓部に露出するようにした自動搬送式納骨堂において、
前記窓部の前方に焼香器が設けられ、該焼香器は、焼香用ヒーターと、該焼香用ヒーターによる抹香の加熱温度測定手段と、焼香用ヒーター制御手段とを有し、
前記ヒーター制御手段は、参拝者の参拝受付信号により、前記ヒーターのスイッチをオンとし、所定時間内に抹香が焼香可能状態に達するように、前記加熱温度測定手段により測定する抹香の加熱温度に基づいて、前記ヒーターによる加熱速度を制御する一方、参拝者の参拝終了信号により、前記ヒーターのスイッチをオフとする、構成としている。
【００１２】
以上の構成を有する自動搬送式納骨堂によれば、参拝者により複数の遺骨収納厨子から１つが選択され、堂内で自動搬送され、共用墓石に組み込まれ、刻印された墓碑銘板が窓部に露出するようにセットされ、参拝者が窓部の前方に設けられた焼香器でお焼香する準備が整えられる。
その際、焼香器には、焼香用ヒーターと、焼香用ヒーターによる抹香の加熱温度測定手段と、焼香用ヒーター制御手段とが設けられ、焼香用ヒーター制御手段によれば、参拝者の参拝受付信号により、焼香用ヒーターのスイッチをオンとし、所定時間内に抹香が焼香可能状態に達するように、抹香の加熱温度測定手段により測定する抹香の加熱温度に基づいて、ヒーターによる加熱速度を制御することにより、墓碑銘板が窓部に露出するようにセットされる時点で、抹香が焼香可能状態に達するようにすることで、自動搬送式納骨堂により共用墓石を利用して円滑なお参りを可能としつつ、抹香の余分な加熱を防ぐことにより省エネルギー化を達成する一方、参拝者の参拝終了信号により、ヒーターのスイッチをオフとすることにより、十分な防火対策を施すことが可能である。
【００１３】
また、前記ヒーター制御手段は、抹香の種類、堂内の気温および/または湿度条件に応じて、抹香の目標加熱温度を所望温度に設定可能な目標加熱温度設定手段を有するのがよい。
さらに、前記焼香器は、載置された抹香を焚く加熱面を前記焼香器内において上に向けて配置された、中実状金属製の加熱プレートを有し、該加熱プレートは前記加熱面の下方に、前記ヒーターを嵌合挿入するためのヒーター挿入穴と、前記加熱温度測定手段である熱電対を挿入するための熱電対挿入穴とを有し、それにより、前記ヒーターの熱が熱伝導により前記加熱面に伝達されるのがよい。
さらにまた、前記ヒーター挿入穴および前記熱電対挿入穴は、前記加熱面の延び方向に沿って、互いに平行に配置されるのがよい。
加えて、前記熱電対挿入穴は、前記ヒーター挿入穴と前記加熱面との間のレベルに挿入されるのがよい。
【００１４】
また、前記ヒーター制御手段は、参拝者の参拝受付信号により、選択した前記遺骨収納厨子の自動搬送の開始と、前記ヒーターのスイッチのオンとが連動するようにしているのがよい。
さらに、前記所定時間は、選択した前記遺骨収納厨子の自動搬送開始後、前記共用墓石に組み込まれ、刻印された前記墓碑銘板が前記窓部に露出するまでの時間であるのがよい。
さらにまた、前記ヒーター制御手段は、参拝者の受付信号により、参拝者による前記複数の遺骨収納厨子の１つの選択が完了した時点での前記加熱面の初期温度と、前記加熱面の目標加熱温度との温度差に基づいて、前記ヒーターによる加熱速度を制御するのがよい。
加えて、前記ヒーター制御手段は、前記ヒーターのオンオフと連動したタイマーをさらに有し、前記加熱面が目標加熱温度に達したら、前記ヒーターをオフするとともに前記タイマーをオンとし、前記タイマーにより設定した所定時間経過ごとに、前記ヒーターのオンオフを繰り返すことにより、前記加熱面の温度を焼香可能な温度範囲に維持するのでもよい。
また、前記ヒーター制御手段は、前記上限温度および/または前記下限温度が設定可能なようにバイメタル構造を利用するのでもよい。
さらに、請求項１ないし請求項１２のいずれか１項に記載の前記自動搬送式納骨堂において焼香するたびに、前記加熱面全体が露出しないようにしつつ、前記加熱面の過熱により前記焼香用ヒーターの損傷を防止可能な程度に前記加熱面からの放熱が可能なように、前記加熱面により焚かれることにより生じる抹香灰を前記加熱面上に積む焼香方法を行うのもよい。。
【発明を実施するための最良の形態】
【００１５】
本発明に係る自動搬送式納骨堂の実施形態を図面を参照しながら、以下に詳細に説明する。
図１ないし図４に示すように、自動搬送式納骨堂１０は、堂内に設置され正面に窓部１２を設けた共用墓石１４と、それぞれ、墓碑銘板が刻印された墓碑銘板を取付けた複数の遺骨収納厨子１８とを有し、参拝者による複数の遺骨収納厨子１８の１つの選択によって堂内で自動搬送され、共用墓石１４に組み込まれ、刻印された墓碑銘板が窓部１２に露出するようにしている。
【００１６】
より詳細には、図１に示すように、自動搬送式納骨堂１０は、仕切壁７２によって互いに仕切られた２基の共用墓石１４と、共用墓石１４全体が収容されるブースＢと、共用墓石１４に対して択一的に着脱される遺骨収納厨子１８と、から概略構成される。ブースＢは、背板の上下に天板と基台が突設され、これらの間に固定パネル７４と扉５２とを配置している。各共用墓石１４は、同じ構成であるので、以下、その１つについて説明する。
【００１７】
図２に示すように、共用墓石１４は、石塔状の本体１６とその正面に配される香炉台７８と、両側にそれぞれ配される抹香入れ６０および花立７６から構成され、本体１６の正面には遺骨収納厨子１８を共用墓石１４の背面から嵌め込むための窓部１２が設けられる。遺骨収納厨子１８は内部に骨壺を収容可能な容器状に構成され、正面には家名、家紋などを表示する銘板部分が設けられ、共用墓石１４に嵌め込んだ際に銘板部分が窓部１２に露出するようにしている。各部材は石材により構成され、家名、家紋などは銘板部分に刻印される。
【００１８】
遺骨収納厨子１８は建物内納骨庫に、ラック９２（図１参照）に多数収容され、選択される各々の遺骨収納厨子１８は納骨庫内を移動する搬送装置６４に載置され、共用墓石１４の背面まで搬送路６５を介して搬送され、コンベア状進入路６２から共用墓石１４の窓部１２内に押し出されて嵌め込まれるようにしている。
【００１９】
窓部１２の前方には、香炉台７８内の焼香器２０が設けられ、焼香器２０は、焼香用ヒーター２６と、焼香用ヒーター２６による抹香の加熱温度測定手段３６と、焼香用ヒーター制御手段８８とを有する。
【００２０】
図２および図３に示すように、焼香器２０は、抹香が上方から投入される受け容器２と、受け容器２内に設けられる焼香器２０と、受け容器２の開口７０が上面５８に略面一となるように収納される。
【００２１】
受け容器２は、金属製、陶磁器又は石質材等の材料から成る鉢状であり、保温と断熱を兼ねた灰の十分な量を確保可能な容積を有し、香炉台７８の上面５８に設けた凹部の周側面にはめ込まれ、石製の香炉台７８が熱により傷むのを保護する。焼香用ヒーター２６は、従来既知のニクロム線に電流を流す際の抵抗熱を利用するものであり、受け容器２の底面に設けた台座６８に対して支持部材８２を介して固定されている。焼香用ヒーター２６のニクロム線に電流を流すための電線は、台座６８に設けた孔（図示せず）を介して、受け容器２の下方に延びて、香炉台７８から外部にいたるようにしている。
ニクロム線焼香用ヒーターは、コイルばね状で電気的に絶縁被覆されていてもよいし、ワイヤー状で塩化ビニール製のチューブにより絶縁被覆されていてもよい。
なお、受け容器２は、香炉台７８の底面から支持部材（図示せず）を介して支持されてもよいし、受け容器２の上周縁をフランジ状に形成することにより、香炉台７８の上面５８から垂下するようにしてもよいし、香炉台７８の底面から支持部材（図示せず）を介して支持しつつ、上面５８から垂下するようにしてもよい。
【００２２】
焼香器２０は、載置された抹香を焚く加熱面２２を受け容器２内において上に向けて配置された、中実状金属製の加熱プレート２４を有し、加熱プレート２４は加熱面２２の下方に、焼香用ヒーター２６を嵌合挿入するための焼香用ヒーター挿入穴２８と、加熱温度測定手段３６である熱電対３０を挿入するための熱電対挿入穴３２とを有し、それにより、焼香用ヒーター２６の熱が熱伝導により加熱面２２に伝達されるようにしている。加熱プレート２４は、受け容器２の内面に接触しないように配置されるのが好ましい。加熱面２２の形状は、細長矩形状であり、焼香用炭を模擬している。
図３に示すように、加熱面２２の大きさは、参拝者から焼香する際の便宜および焼香用ヒーター２６の消費電力を考慮して定めればよく、焼香の際、加熱面２２が抹香により溜まった灰Ａから露出するようにするのがよい。これにより、加熱面２２上に溜まる抹香の量により、抹香の燃え具合が影響を受けるところ、加熱面２２の加熱温度が同じであれば、焼香の際の状況が常に同じとなるようにしている。
なお、焼香するたびに、加熱面２２全体が露出しないようにしつつ、加熱面２２の過熱により焼香用ヒーター２６の損傷を防止可能な程度に加熱面２２からの放熱が可能なように、加熱面２２により焚かれることにより生じる抹香灰を加熱面２２上に積むのがよい。
【００２３】
焼香用ヒーター挿入穴２８および熱電対挿入穴３２は、加熱面２２の長手方向に沿って、互いに平行に水平向きに配置される。
図４に示すように、熱電対挿入穴３２は、焼香用ヒーター挿入穴２８と加熱面２２との間のレベルに挿入される。これにより、加熱面２２の温度をより正確に測定することが可能である。この意味において、熱電対挿入穴３２は、加熱面２２に極力近いのが好ましい。
【００２４】
図５に示すように、自動搬送式納骨堂１０の全体制御系は、制御装置８３と、操作指示により各種の制御を行う操作部８４と、遺骨収納厨子１８の搬送を行う搬送装置のコンベア駆動部８５と、遺骨収納厨子１８を共用墓石１４に着脱するコンベア駆動部８６と、ブースＢの扉５２の開閉を行う扉開閉駆動部８７と、参拝者が焼香を行う焼香器２０の加熱制御を行う加熱制御部８８とを概略有する。
【００２５】
操作部８４においては、操作者、通常は参拝者が、所望の遺骨収納厨子１８の搬送および着脱を指示する。より具体的には、遺骨収納厨子１８毎に利用者にＩＤカードＣを交付し、参拝に際してそのＩＤカードＣを操作部８４のカードリーダー（図示せず）で読み込ませることにより、制御装置８３からの制御信号を搬送駆動部８５およびコンベア駆動部８６に送信することにより、納骨庫内ラック９２に収容されている遺骨収納厨子１８を自動的に搬送して、共用墓石１４に嵌め込むようにする。この場合、遺骨収納厨子１８の搬送および嵌め込み作業中は、扉５２は閉止し、嵌め込み作業完了後は扉５２を開放するように自動制御している。
参拝終了時には、参拝者が終了押釦９０を押すことにより、参拝終了信号が発信されて、焼香器２０の焼香用ヒーター２６が自動的にオフするとともに、扉５２が閉まるようにしている。使い終わった遺骨収納厨子は、納骨庫内ラックの所定位置に搬送装置により戻される。
【００２６】
焼香用ヒーター制御手段８８は、参拝者の参拝受付信号により、焼香用ヒーター２６のスイッチをオンとし、所定時間内に抹香が焼香可能状態に達するように、加熱温度測定手段３６により測定する抹香の加熱温度に基づいて、抵抗発熱体であるニクロム線への電流を増減することにより、発熱量を調整することにより、焼香用ヒーター２６による加熱速度を制御し、遺骨収納厨子１８が共用墓石１４に嵌め込まれるまでに、焼香器２０が焼香可能な温度である目標加熱温度まで加熱するようにしている。
より具体的には、焼香用ヒーター制御手段８８は、参拝者の受付信号により、参拝者による複数の遺骨収納厨子１８の１つの選択が完了した時点での加熱面２２の初期温度と、加熱面２２の目標加熱温度との温度差に基づいて、焼香用ヒーター２６による加熱速度を制御する。
所定時間は、選択した遺骨収納厨子１８の自動搬送開始後、共用墓石１４に組み込まれ、刻印された墓碑銘板が窓部１２に露出するまでの時間である。所定時間は、たとえば、１分程度であり、マニュアルで設定可能としてもよい。
一方、焼香用ヒーター制御手段８８は、参拝者の参拝終了信号により、焼香用ヒーター２６のスイッチをオフとする。
これにより、遺骨収納厨子が共用墓石にセットされる時点で、焼香が可能であり、一方、焼香器２０の余分な加熱を防ぐことにより省エネが可能であるとともに、焼香用ヒーターの切り忘れを未然に防止することが可能である。
【００２７】
焼香用ヒーター制御手段８８は、抹香の種類、堂内の気温および/または湿度条件に応じて、抹香の目標加熱温度を所望温度に設定可能な目標加熱温度設定手段３８を有する。たとえば、堂内の気温および湿度が低い冬場の場合には、夏場に比べて、目標加熱温度を高めに設定するのがよい。
焼香用ヒーター制御手段８８において、参拝者の参拝受付信号により、選択した遺骨収納厨子１８の自動搬送の開始と、焼香用ヒーター２６のスイッチのオンとが自動的に連動するようにしており、これにより、遺骨収納厨子１８を共用墓石１４に嵌め込まれるまでの時間を短縮するとともに、焼香用ヒーター２６の加熱時間を最大限確保可能としている。
【００２８】
変形例として、焼香用ヒーター２６は、複数の遺骨収納厨子１８のうち共用墓石１４に一番近い位置の遺骨収納厨子１８が共用墓石１４に自動搬送されて、共用墓石１４に組み込まれるまでに抹香が焼香可能となるような加熱能力を有し、焼香用ヒーター制御手段８８は、参拝者の参拝受付信号により、焼香用ヒーター２６のスイッチをオンとすることにより、抹香が焼香可能状態となるまで加熱し、参拝者の参拝終了信号を受信するまでは、上限温度に達したら、焼香用ヒーターのスイッチをオフとする一方、下限温度に達したら、焼香用ヒーターのスイッチをオンとし、参拝者の参拝終了信号により、焼香用ヒーター２６のスイッチをオフとする、構成としてもよい。
より詳細には、抹香の種類に応じて、焼香可能な温度には、上限温度と下限温度とがあり、下限温度と上限温度との間に保持されている限り、焼香可能な状態を維持することが可能であるところ、共用墓石１４に一番近い位置の遺骨収納厨子１８が選択される場合には、焼香用ヒーター２６をオンとした状態で、共用墓石１４に組み込まれるまでに抹香が焼香可能となるのに対して、それ以外の遺骨収納厨子１８が選択される場合には、搬送装置による搬送速度は略一定であるから、一番近い位置の遺骨収納厨子１８が選択される場合に比べて、焼香用ヒーター２６の加熱時間が長くなることから、参拝者の参拝終了信号を受信するまでは、上限温度に達したら、焼香用ヒーター２６のスイッチをオフとする一方、下限温度に達したら、焼香用ヒーター２６のスイッチをオンとし、場合により、このオンオフを繰り返し、参拝者の参拝終了信号により、焼香用ヒーター２６のスイッチをオフとする。
これにより、抹香を焼香状態に加熱する場合に、上限温度と下限温度との温度差が約５０度と比較的広範囲である特殊性を利用することにより、高コストとなる過剰な加熱制御を行うことなしに、焼香用ヒーター２６のスイッチングの単純なオンオフ制御により、抹香を焼香状態に保持することが可能である。
【００２９】
さらなる変形例として、焼香用ヒーター制御手段８８は、焼香用ヒーター２６のオンオフと連動したタイマー（図示せず）をさらに有してもよく、加熱面２２が目標加熱温度に達したら、焼香用ヒーター２６をオフするとともにタイマーをオンとし、タイマーにより設定した所定時間経過ごとに、焼香用ヒーター２６のオンオフを繰り返すことにより、加熱面２２の温度を焼香可能な温度範囲に維持する。所定時間は、抹香の種類に応じて、試行錯誤により経験的に設定すればよく、このような温度管理によれば、焼香可能な温度範囲が比較的広い（たとえば、目標加熱温度±２５℃前後？）ことを利用することにより、たとえば、加熱面２２の温度を焼香可能な温度範囲に維持するのに、加熱面２２の測定温度に基づいてフィードバック制御することなく、簡易に管理することが可能である。
【００３０】
図６は、参拝状況に応じて本実施形態の焼香器２０を温度制御した場合のグラフである。
図６によれば、１つの共用墓石の利用状況、すなわち、参拝者による参拝状況として、２組の参拝が時間を置いて行われた場合の状況が示されている。
焼香器２０が常温Ｔ１まで温度低下している状態で、参拝受付信号１が受信されると、焼香用ヒーター制御手段により、遺骨収納厨子１が共用墓石にセットされるまでに、焼香器２０を目標温度Ｔ３まで加熱し（加熱時間ｔ１）、焼香による参拝後（参拝時間ｔ２）、参拝終了信号１が受信されると加熱焼香用ヒーターがオフとされ放熱されて（放熱時間ｔ３）、温度Ｔ２まで低下する。
【００３１】
次いで、常温Ｔ１まで低下しない間に、参拝受付信号２が受信されると、焼香用ヒーター制御手段により、遺骨収納厨子１８が共用墓石にセットされるまでに、焼香器２０を目標温度Ｔ３まで加熱し（加熱時間ｔ１´）、焼香による参拝後（参拝時間ｔ２´）、参拝終了信号１が受信されると加熱焼香用ヒーターがオフとされ放熱されて（放熱時間ｔ３´）、常温Ｔ１まで低下する。
なお、この場合、参拝受付信号の受信から遺骨収納厨子が共用墓石にセットされるまでの時間、すなわち焼香用ヒーター加熱時間は、参拝者により遺骨収納厨子が選択されて共用墓石にセットされるまでの時間と同じであり、参拝者間で共通に設定されており、そのため、参拝２の場合には、焼香器２０の初期温度が常温Ｔ１より高い温度Ｔ２、それに対して、参拝１の場合には、焼香器２０の初期温度が常温Ｔ１であることから、参拝１の場合、参拝２に比べて焼香器２０の加熱速度（グラフ上での傾き）が速くなるように制御している。
【００３２】
変形例として、図７に示すように、抹香の種類に応じて、焼香可能な温度には、上限温度と下限温度とがあり、下限温度と上限温度との間に保持されている限り、焼香可能な状態を維持することが可能であるところ、目標加熱温度に達した時点において、個別設定可能な上限温度に到達したら、焼香用ヒーターをオフとすることにより、抹香の加熱を停止し、一方、個別設定可能な下限温度に到達したら、焼香用ヒーターをオンとすることにより、抹香の加熱を再開することにより、過剰な温度制御をすることなしに、焼香可能な状態を維持することが可能である。下限温度と上限温度との間の温度差は、たとえば、５０℃ぐらいである。
【００３３】
以上の構成を有する自動搬送式納骨堂１０によれば、参拝者により複数の遺骨収納厨子１８から１つが選択され、堂内で自動搬送され、共用墓石１４に組み込まれ、刻印された墓碑銘板が窓部１２に露出するようにセットされ、参拝者が窓部１２の前方に設けられた焼香器２０でお焼香する準備が整えられる。
その際、焼香器２０には、抹香の焼香用ヒーター２６と、抹香の焼香用ヒーター２６による抹香の加熱温度測定手段３６と、抹香の焼香用ヒーター制御手段８８とが設けられ、抹香の焼香用ヒーター制御手段８８によれば、参拝者の参拝受付信号により、抹香の焼香用ヒーター２６のスイッチをオンとし、所定時間内に抹香が焼香可能状態に達するように、抹香の加熱温度測定手段３６により測定する抹香の加熱温度に基づいて、焼香用ヒーター２６による加熱速度を制御することにより、墓碑銘板が窓部１２に露出するようにセットされる時点で、抹香が焼香可能状態に達するようにすることで、自動搬送式納骨堂１０により共用墓石１４を利用して円滑なお参りを可能としつつ、抹香の余分な加熱を防ぐことにより省エネルギー化を達成する一方、参拝者の参拝終了信号により、焼香用ヒーター２６のスイッチをオフとすることにより、十分な防火対策を施すことが可能である。
【００３４】
以上、本発明の実施形態を詳細に説明したが、本発明の範囲から逸脱しない範囲内において、当業者であれば、種々の修正あるいは変更が可能である。
たとえば、ヒーター制御手段は、上限温度および/または下限温度が設定可能なようにバイメタル構造を利用するのもよい。
たとえば、本実施形態において、新規の電気式焼香器２０として説明したが、それに限定されることなく、既存の電気式焼香器２０に対して、加熱プレートの焼香用ヒーターに隣接して、焼香用ヒーター温度測定用熱電対を挿入する挿入穴を設けるとともに、参拝受信信号および参拝終了信号と、焼香器２０の加熱動作とを連動するように制御系を改造してもよい。
たとえば、本実施形態において、参拝受信信号および参拝終了信号と、焼香器２０の加熱動作とを連動するように制御するものとして説明したが、それに限定されることなく、参拝受付信号により手動により焼香用ヒーター２６のスイッチをオンにしてもよいし、参拝終了信号により手動により焼香用ヒーター２６のスイッチをオフにしてもよい。
【００３５】
たとえば、本実施形態において、焼香器２０の目標加熱温度、加熱時間は略一定のものとして説明したが、それに限定されることなく、たとえば、抹香の種類に応じて焼香器２０の目標加熱温度を変えてもよいし、たとえば、コンベア搬送速度が略一定であると、参拝者の選択する遺骨収納厨子の保管場所が共用墓石から遠くにある場合と、近くにある場合とにおいて、遺骨収納厨子が共用墓石にセットされるまでの搬送時間に時間差が生じることから、それに応じて、前者の場合は、加熱時間を長く設定し、後者の場合は、加熱時間を短く設定することにより、参拝者ごとに、適宜、焼香器２０の加熱条件を設定してもよい。
たとえば、本実施形態において、参拝者の参拝受付信号により、選択した遺骨収納厨子の自動搬送の開始と、焼香用ヒーターのスイッチのオンとが連動するものとして説明したが、それに限定されることなく、参拝者の参拝受付信号により、利用する共用墓石の扉の開閉と、焼香用ヒーターのスイッチのオンおよび目標加熱温度の到達とを連動させてもよく、特に、共用墓石の扉の開動作と目標加熱温度の到達とを連動させることにより、焼香準備完了とならない限り、共用墓石の扉が開かず、参拝者が焼香器２０にアクセスできないようにしてもよい。
【図面の簡単な説明】
【００３６】
【図１】本発明の実施形態に係る自動搬送式納骨堂１０において、共用墓石１４の遺骨収納厨子１８が配置された状況を示す概略的な水平断面図である。
【図２】本発明の実施形態に係る自動搬送式納骨堂１０において、共用墓石１４の外観を示す斜視図である。
【図３】本発明の実施形態に係る自動搬送式納骨堂１０において、焼香器２０の外観を示す斜視図である。
【図４】本発明の実施形態に係る自動搬送式納骨堂１０において、焼香器２０の加熱プレート２４の端面図である。
【図５】本発明の実施形態に係る自動搬送式納骨堂１０において、全体の制御系統を示すブロック図である。
【図６】本発明の実施形態に係る自動搬送式納骨堂１０において、参拝状況に応じた焼香器２０の温度変化を示すグラフである。
【図７】本発明の変形実施形態に係る自動搬送式納骨堂１０において、参拝状況に応じた焼香器２０の温度変化を示す、図６と同様なグラフである。
【符号の説明】
【００３７】
Ａ    灰
Ｂ    ブース
Ｃ    ＩＤカード
Ｔ１  常温
Ｔ２  温度
Ｔ３  目標加熱温度
ｔ１  加熱時間
ｔ２  参拝時間
ｔ３  放熱時間
ｔ１´加熱時間
ｔ２´参拝時間
ｔ３´放熱時間
２    受け容器
１０  自動搬送式納骨堂
１２  窓部
１４  共用墓石
１６  本体
１８  遺骨収納厨子
２０  焼香器
２２  加熱面
２４  加熱プレート
２６  焼香用ヒーター
２８  焼香用ヒーター挿入穴                                        
３０  熱電対
３２  熱電対挿入穴
３６  加熱温度測定手段
３８  目標加熱温度設定手段
５２  扉
５８  上面
６０  抹香入れ
６２  進入路
６４  搬送装置
６５  搬送路
６８  台座
７０  開口
７２  仕切壁
７４  固定パネル
７６  花立
７８  香炉台
８２  支持部材
８３  制御装置
８４  操作部
８５  搬送駆動部
８６  コンベア駆動部
８７  扉開閉駆動部
８８  加熱制御部
９０  終了押釦
【図１】
2017082480.tif 000003
【図２】
2017082480.tif 000004
【図３】
2017082480.tif 000005
【図４】
2017082480.tif 000006
【図５】
2017082480.tif 000007
【図６】
2017082480.tif 000008
【図７】
2017082480.tif 000009